【手続補正書】
【提出日】平成17年6月24日(2005.6.24)
【手続補正１】
【補正対象書類名】明細書
【補正対象項目名】特許請求の範囲
【補正方法】変更
【補正の内容】
【特許請求の範囲】
【請求項１】
被検者から得られる心電波形に同期したＩＲ法によりＭＲＩ画像を得るＭＲＩ装置であって、
心電波形の１心拍期間において、予め設定される被検体の関心領域の複数スライスに対してそれぞれ異なるＴＩを設定して第１のＭＲ信号を収集する第１の信号収集手段と、
この第１のＭＲ信号に対して再構成を行ってぞれぞれのＴＩに対応するＭＲＩ画像を生成する第１の画像生成手段と、
この第１の画像生成手段によって得られる複数のＭＲＩ画像に基づいて選択されるＴＩを所望ＴＩとして設定する所望ＴＩ設定手段と、
この所望ＴＩ設定手段によって設定される所望ＴＩを用いて第２のＭＲ信号を収集する第２の信号収集手段と、
この第２のＭＲ信号に対して再構成処理を行うことによってＭＲＩ画像を生成する第２の画像生成手段と、
この第２の画像生成手段によって生成されるＭＲＩ画像を表示する画像表示手段とを
備えたことを特徴とするＭＲＩ装置。
【請求項２】
被検者から得られる心電波形に同期したＩＲ法によりＭＲＩ画像を得るＭＲＩ装置であって、
複数のインバージョンタイム（ＴＩ）を設定するＴＩ設定手段と、
前記ＴＩ毎に所定スライスに対する複数心拍にわたるＭＲ信号の収集を連続的に行い第１のＭＲ信号の収集する第１の信号収集手段と、
この第１のＭＲ信号に対して再構成を行ってぞれぞれのＴＩに対応するＭＲＩ画像を生成する第１の画像生成手段と、
この第１の画像生成手段によって得られる複数のＭＲＩ画像に基づいて選択されるＴＩを所望ＴＩとして設定する所望ＴＩ設定手段と、
この所望ＴＩ設定手段によって設定される所望ＴＩを用いて第２のＭＲ信号を収集する第２の信号収集手段と、
この第２のＭＲ信号に対して再構成処理を行うことによってＭＲＩ画像を生成する第２のＭＲＩ画像生成手段と、
この第２の画像生成手段によって生成されるＭＲＩ画像を表示する画像表示手段とを
備えたことを特徴とするＭＲＩ装置。
【請求項３】
前記第１のＭＲＩ画像生成手段によって生成されるＭＲＩ画像の収集データ点数は、前記第２のＭＲＩ画像生成手段によって生成されるＭＲＩ画像の収集データ点数より少ないことを特徴とする請求項１または２記載のＭＲＩ装置。
【請求項４】
前記第１のＭＲＩ画像生成手段によって生成されるＭＲＩ画像の収集データ点数は、前記第２のＭＲＩ画像生成手段によって生成されるＭＲＩ画像の収集データ点数の１／２以下であることを特徴とする請求項３記載のＭＲＩ装置。
【請求項５】
前記第１のＭＲ信号収集手段は、各ＴＩにおけるＭＲ信号を２心拍期間にわたって収集することを特徴とする請求項２記載のＭＲＩ装置。
【請求項６】
前記第１のＭＲ信号収集手段はｋ−空間を複数セグメントで分割した高速撮影法によることを特徴とする請求項１または２記載のＭＲＩ装置。
【請求項７】
前記設定されるＴＩは２００ｍｓｅｃ〜４００ｍｓｅｃの範囲で設定されることを特徴とする請求項１または２記載のＭＲＩ装置。
【請求項８】
画像選択手段をさらに備え、画像選択手段は前記第１の画像生成手段によって生成される複数のＭＲＩ画像の所定部位における画像輝度を比較することによって所望画像を選択することを特徴とする請求項１または２記載のＭＲＩ装置。
【請求項９】
前記画像選択手段は、前記複数のＭＲＩ画像の所定部位においてヒストグラムを求め、このヒストグラム値を比較することを特徴とする請求項８記載のＭＲＩ装置。
【請求項１０】
被検者から得られる心電波形に同期したＩＲ法によりＭＲＩ画像を得るＭＲＩ装置であって、
心電波形の１心拍期間において、予め設定される被検体の関心領域の複数スライスに対してそれぞれ異なるＴＩを設定して第１のＭＲ信号を収集する第１のステップと、
この第１のＭＲ信号に対して再構成を行ってぞれぞれのＴＩに対応する第１のＭＲＩ画像を生成する第２のステップと、
複数の前記第１のＭＲＩ画像に基づいて選択されるＴＩを所望ＴＩとして設定する第3のステップと、
この所望ＴＩを用いて第２のＭＲ信号を収集する第４のステップと、
この第２のＭＲ信号に対して再構成処理を行って第２のＭＲＩ画像を生成する第５のステップと、
この第２のＭＲＩ画像を表示する第６のステップとを
有することを特徴とするＭＲＩ画像撮影方法。
【請求項１１】
被検者から得られる心電波形に同期したＩＲ法によりＭＲＩ画像を得るＭＲＩ装置であって、
複数のインバージョンタイム（ＴＩ）を設定する第１のステップと、
前記ＴＩ毎に所定スライスに対する複数心拍にわたるＭＲ信号の収集を連続的に行い第１のＭＲ信号を収集する第２のステップと、
この第１のＭＲ信号に対して再構成を行ってぞれぞれのＴＩに対応する第１のＭＲＩ画像を生成する第３のステップと、
複数の前記第１のＭＲＩ画像に基づいて選択されるＴＩを所望ＴＩとして設定する第４のステップと、
この所望ＴＩを用いて第２のＭＲ信号を収集する第５のステップと、
この第２のＭＲ信号に対して再構成処理を行うことによって第２のＭＲＩ画像を生成する第６のステップと、
この第２のＭＲＩ画像を表示する第７のステップとを
有することを特徴とするＭＲＩ画像撮影方法。
【請求項１２】
被検者から得られる心電波形に同期したＩＲ法により
ＭＲＩ画像を得るＭＲＩ装置であって、
被検体の関心領域の所定のスライスに対してそれぞれ異なるＴＩを設定して第１のＭＲ信号を収集する第１の信号収集手段と、
この第１のＭＲ信号に対して再構成を行ってぞれぞれのＴＩに対応する複数のＭＲＩ画像を生成する第１の画像生成手段と、
この複数のＭＲＩ画像に基づいて選択されるＴＩを所望ＴＩとして設定する所望ＴＩ設定手段と、
この所望ＴＩ設定手段によって設定される所望ＴＩを用いて第２のＭＲ信号を収集する第２の信号収集手段と、
この第２のＭＲ信号に対して再構成処理を行うことによってＭＲＩ画像を生成する第２の画像生成手段と、
この第２の画像生成手段によって生成されるＭＲＩ画像を表示する画像表示手段とを
備えたことを特徴とするＭＲＩ装置。
【手続補正２】
【補正対象書類名】明細書
【補正対象項目名】００１７
【補正方法】変更
【補正の内容】
【００１７】
さらに、請求項１１に係る本発明のＭＲＩ画像撮影方法は、被検者から得られ
る心電波形に同期したＩＲ法によりＭＲＩ画像を得るＭＲＩ装置であって、複数
のインバージョンタイム（ＴＩ）を設定する第１のステップと、所定スライスに
対し、複数心拍にわたるＭＲ信号の収集を、前記ＴＩを変更して連続的に行う第
２のステップと、このＭＲ信号に対して再構成を行ってぞれぞれのＴＩに対応す
るＭＲＩ画像を生成する第３のステップと、生成される複数のＭＲＩ画像に基づ
いて選択されるＴＩを所望ＴＩとして設定する第４のステップと、この所望ＴＩ
を用いて第２のＭＲ信号を収集する第５のステップと、このＭＲ信号に対して再
構成処理を行うことによってＭＲＩ画像を生成する第６のステップと、生成され
るＭＲＩ画像を表示する第７のステップとを有することを特徴としている。
さらに請求項１２に係るＭＲＩ装置は、被検者から得られる心電波形に同期したＩＲ
法によりＭＲＩ画像を得るＭＲＩ装置であって、被検体の関心領域の所定のスラ
イスに対してそれぞれ異なるＴＩを設定して第１のＭＲ信号を収集する第１の信
号収集手段と、この第１のＭＲ信号に対して再構成を行ってぞれぞれのＴＩに対
応する複数のＭＲＩ画像を生成する第１の画像生成手段と、この複数のＭＲＩ画
像に基づいて選択されるＴＩを所望ＴＩとして設定する所望ＴＩ設定手段と、こ
の所望ＴＩ設定手段によって設定される所望ＴＩを用いて第２のＭＲ信号を収集
する第２の信号収集手段と、この第２のＭＲ信号に対して再構成処理を行うこと
によってＭＲＩ画像を生成する第２の画像生成手段と、この第２の画像生成手段
によって生成されるＭＲＩ画像を表示する画像表示手段とを備えたことを特徴と
する。